(57)【要約】      （修正有）【課題】単位時間当たりの呼吸回数を簡易且つ正確に計測することが可能な呼吸計測プログラム及び呼吸計測装置を提供する。【解決手段】コンピュータを、対象者による吸気又は呼気が行われるタイミングに、対象者によって呼吸が行われたことを特定するべく計測者によって操作される操作部１１が操作された回数と、操作部１１が操作される時間とに基づいて、単位時間当たりの呼吸回数を演算する演算部１４１と、演算部１４１が演算した単位時間当たりの呼吸回数を出力する出力部１４４と、として機能させ、操作部１１は、１回の吸気が行われている間中操作され続け、１回の呼気が行われている間中操作されず、操作部１１が操作され続けている時間帯を吸気が行われているものと特定し、操作部１１が操作されていない時間帯を呼気が行われているものと特定する行為特定部１４２、として機能させ、出力部１４４は、呼吸タイミング情報を出力する。【選択図】図１
2018075278.tif 000002
【特許請求の範囲】
【請求項１】
コンピュータを、
対象者による吸気又は呼気が行われるタイミングに、前記対象者によって呼吸が行われたことを特定するべく計測者によって操作される操作手段が操作された回数と、前記操作手段が操作される時間とに基づいて、単位時間当たりの呼吸回数を演算する演算手段と、
前記演算手段が演算した前記単位時間当たりの呼吸回数を特定する単位時間呼吸回数情報を出力する出力手段と、
として機能させる呼吸計測プログラム。
【請求項２】
前記操作手段は、前記対象者による１回の吸気又は呼気のうちの一方の行為が行われている間中、前記計測者によって操作され続け、前記対象者による１回の吸気又は呼気のうちの前記一方の行為とは異なる他方の行為が行われている間中、前記計測者によって操作されず、
前記コンピュータを、前記操作手段が操作され続けている時間帯を前記対象者によって前記一方の行為が行われているものと特定し、前記操作手段が操作されていない時間帯を前記対象者によって前記他方の行為が行われているものと特定する行為特定手段、として機能させ、
前記出力手段は、前記行為特定手段の特定結果に基づいて、前記対象者による呼気及び吸気のタイミングを特定する情報である呼吸タイミング情報を出力する、
請求項１に記載の呼吸計測プログラム。
【請求項３】
前記操作手段は、前記対象者による呼吸を特定するべく前記計測者によって操作される複数の操作領域であって、前記対象者の呼吸の種類に対応付けれられている前記複数の操作領域を備えており、
前記コンピュータを、前記操作手段における前記複数の操作領域のうちの何れの操作領域が前記計測者によって操作されたかに基づいて、前記対象者の呼吸の種類を特定する種類特定手段、として機能させ、
前記出力手段は、前記種類特定手段の特定結果に基づいて、前記対象者による呼吸の種類を特定する情報である呼吸種類情報を出力する、
請求項１又は２に記載の呼吸計測プログラム。
【請求項４】
前記演算手段が演算した前記単位時間当たりの呼吸回数と、単位時間当たりの呼吸回数と前記対象者の状態とを互いに関連付けた情報である状態関連情報を格納する状態関連情報格納手段が格納している前記状態関連情報とに基づいて、前記演算手段が演算した前記単位時間当たりの呼吸回数に対応する前記対象者の状態を特定する状態特定手段と、を備え、
前記出力手段は、前記状態特定手段の特定結果に基づいて、前記対象者の状態を特定する情報である状態情報を出力する、
請求項１から３の何れか一項に記載の呼吸計測プログラム。
【請求項５】
対象者による吸気又は呼気が行われるタイミングに、前記対象者によって呼吸が行われたことを特定するべく計測者によって操作される操作手段と、
前記操作手段が操作された回数と、前記操作手段が操作される時間とに基づいて、単位時間当たりの呼吸回数を演算する演算手段と、
前記演算手段が演算した前記単位時間当たりの呼吸回数を特定する単位時間呼吸回数情報を出力する出力手段と、
を備える呼吸計測装置。
【発明の詳細な説明】
【技術分野】
【０００１】
本発明は、呼吸計測プログラム及び呼吸計測装置に関する。
【背景技術】
【０００２】
従来、患者の治療に関する支援を行う医療支援システムが知られていた（例えば、特許文献１参照）。この医療支援システムについては、例えば、患者の状態を特定する情報を取得し、取得した情報に基づいて患者を診察する優先順位を特定し、特定した優先順位を提示することにより、医療に関する支援を行っていた。
【０００３】
ところで、医療支援システムにおいては、患者の状態を特定する情報として、患者の単位時間当たりの呼吸回数（例えば、１分間当たりの呼吸回数等）が用いられることがあり、この場合、当該呼吸回数を計測する必要があった。
【０００４】
そして、単位時間当たりの呼吸回数の計測については、計測時間の短縮を目的として、医療従事者（例えば、医師又は看護師等）が、単位時間（例えば、１分間等）よりも短い所定時間（例えば、１５秒等）の間の呼吸の回数を計数した上で、計数した呼吸の回数を単位時間当たりの呼吸の回数に換算することにより計測していた。
【先行技術文献】
【特許文献】
【０００５】
【特許文献１】特開２０１３−１５２６３２号公報
【発明の概要】
【発明が解決しようとする課題】
【０００６】
しかしながら、従来の呼吸回数の計測の手法においては、医療従事者が、計数した呼吸の回数を自己にて記憶した上で、単位時間当たりの呼吸の回数への換算を、例えば電卓を用いて、あるいは、暗算にて行う必要があったので、計数した呼吸の回数についての記憶違いや、換算についての計算間違い等のヒューマンエラーが発生してしまい、患者の単位時間当たりの呼吸回数を正確に計測することができなくなる可能性があった。このために、呼吸回数はバイタルサインの一つで極めて重要な要素であるにも関わらず、従来、呼吸回数を計測することが煩雑で面倒であったために、呼吸回数の計測が行われないことがあった。
【０００７】
本発明は上記問題に鑑みてなされたもので、単位時間当たりの呼吸回数を簡易且つ正確に計測することが可能な呼吸計測プログラム及び呼吸計測装置を提供することを目的とする。
【課題を解決するための手段】
【０００８】
上述した課題を解決し、目的を達成するために、請求項１に記載の呼吸計測プログラムは、コンピュータを、対象者による吸気又は呼気が行われるタイミングに、前記対象者によって呼吸が行われたことを特定するべく計測者によって操作される操作手段が操作された回数と、前記操作手段が操作される時間とに基づいて、単位時間当たりの呼吸回数を演算する演算手段と、前記演算手段が演算した前記単位時間当たりの呼吸回数を特定する単位時間呼吸回数情報を出力する出力手段と、として機能させる。
【０００９】
また、請求項２に記載の呼吸計測プログラムは、請求項１に記載の呼吸計測プログラムにおいて、前記操作手段は、前記対象者による１回の吸気又は呼気のうちの一方の行為が行われている間中、前記計測者によって操作され続け、前記対象者による１回の吸気又は呼気のうちの前記一方の行為とは異なる他方の行為が行われている間中、前記計測者によって操作されず、前記コンピュータを、前記操作手段が操作され続けている時間帯を前記対象者によって前記一方の行為が行われているものと特定し、前記操作手段が操作されていない時間帯を前記対象者によって前記他方の行為が行われているものと特定する行為特定手段、として機能させ、前記出力手段は、前記行為特定手段の特定結果に基づいて、前記対象者による呼気及び吸気のタイミングを特定する情報である呼吸タイミング情報を出力する。
【００１０】
また、請求項３に記載の呼吸計測プログラムは、請求項１又は２に記載の呼吸計測プログラムにおいて、前記操作手段は、前記対象者による呼吸を特定するべく前記計測者によって操作される複数の操作領域であって、前記対象者の呼吸の種類に対応付けれられている前記複数の操作領域を備えており、前記コンピュータを、前記操作手段における前記複数の操作領域のうちの何れの操作領域が前記計測者によって操作されたかに基づいて、前記対象者の呼吸の種類を特定する種類特定手段、として機能させ、前記出力手段は、前記種類特定手段の特定結果に基づいて、前記対象者による呼吸の種類を特定する情報である呼吸種類情報を出力する。
【００１１】
また、請求項４に記載の呼吸計測プログラムは、請求項１から３の何れか一項に記載の呼吸計測プログラムにおいて、前記演算手段が演算した前記単位時間当たりの呼吸回数と、前記状態関連情報格納手段が格納している前記状態関連情報とに基づいて、前記演算手段が演算した前記単位時間当たりの呼吸回数に対応する前記対象者の状態を特定する状態特定手段と、を備え、前記出力手段は、前記状態特定手段の特定結果に基づいて、前記対象者の状態を特定する情報である状態情報を出力する。
【００１２】
また、請求項５に記載の呼吸計測装置は、対象者による吸気又は呼気が行われるタイミングに、前記対象者によって呼吸が行われたことを特定するべく計測者によって操作される操作手段と、前記操作手段が操作された回数と、前記操作手段が操作される時間とに基づいて、単位時間当たりの呼吸回数を演算する演算手段と、前記演算手段が演算した前記単位時間当たりの呼吸回数を特定する単位時間呼吸回数情報を出力する出力手段と、を備える。
【発明の効果】
【００１３】
請求項１に記載の呼吸計測プログラムによれば、操作手段が操作された回数と、操作手段が操作される時間とに基づいて、単位時間当たりの呼吸回数を演算することにより、例えば、対象者の呼吸の回数を計測者が記憶して管理したり、単位時間当たりの呼吸回数への演算を計測者が行ったりすることが不要となるので、計測者による記憶又は演算に関するヒューマンエラーによる誤計測を防止することができ、単位時間当たりの呼吸回数を簡易且つ正確に計測することが可能な呼吸計測プログラムを提供することができる。
【００１４】
請求項２に記載の呼吸計測プログラムによれば、操作手段が操作され続けている時間帯を吸気又は呼気のうちの一方の行為が行われているものと特定し、操作手段が操作されていない時間帯を吸気又は呼気のうちの他方の行為が行われているものと特定することにより、例えば、計測者による直観的で単純な操作に基づいて対象者の呼気及び吸気のタイミングを特定することができるので、あらゆる計測者が呼気及び吸気のタイミングを容易に計測することが可能な使い勝手のよい呼吸計測プログラムを提供することができる。また、例えば、単位時間当たりの呼吸回数に加えて、呼気及び吸気のタイミングについても出力することができるので、対象者の呼吸に関して有用な情報を提供することができる。
【００１５】
請求項３に記載の呼吸計測プログラムによれば、操作手段における複数の操作領域のうちの何れの操作領域が計測者によって操作されたかに基づいて、対象者の呼吸の種類を特定することにより、例えば、計測者による直観的で単純な操作に基づいて対象者の呼吸の種類を特定することができるので、あらゆる計測者が呼吸の種類を容易に計測することが可能な使い勝手のよい呼吸計測プログラムを提供することができ、また、計測者が自己の手元を見ないで操作することができるので、対象者の呼吸の状態を集中的に視認することができる。また、例えば、単位時間当たりの呼吸回数に加えて、呼吸の種類についても出力することができるので、対象者の呼吸に関して有用な情報を提供することができる。
【００１６】
請求項４に記載の呼吸計測プログラムによれば、単位時間当たりの呼吸回数と状態関連情報とに基づいて、対象者の状態を特定することにより、例えば、単位時間当たりの呼吸回数に加えて、対象者の状態についても出力することができるので、計測結果のみならず当該計測結果に対応する対象者の状態についても提供することができ、対象者の呼吸に関して有用な情報を提供することができる。
【００１７】
請求項５に記載の呼吸計測装置によれば、操作手段が操作された回数と、操作手段が操作される時間とに基づいて、単位時間当たりの呼吸回数を演算することにより、例えば、対象者の呼吸の回数を計測者が記憶して管理したり、単位時間当たりの呼吸回数への演算を計測者が行ったりすることが不要となるので、計測者による記憶又は演算に関するヒューマンエラーによる誤計測を防止することができ、単位時間当たりの呼吸回数を正確に計測することが可能な呼吸計測装置を提供することができる。
【図面の簡単な説明】
【００１８】
【図１】本実施の形態に係る呼吸計測装置を示すブロック図である。
【図２】計測開始待ち画面の表示例である。
【図３】計測中画面の表示例ある。
【図４】操作履歴情報を例示した図である。
【図５】計測処理のフローチャートである。
【図６】情報格納処理のフローチャートである。
【図７】演算処理のフローチャートである。
【図８】各種情報が表示された状態の計測中画面の表示例である。
【図９】演算処理を繰り返し行った後の計測開始待ち画面の表示例である。
【発明を実施するための形態】
【００１９】
以下に、本発明に係る呼吸計測装置の実施の形態を図面に基づいて詳細に説明する。なお、この実施の形態によりこの発明が限定されるものではない。
【００２０】
〔実施の形態の基本的概念〕
まずは、実施の形態の基本的概念について説明する。実施の形態は、概略的に、呼吸計測プログラムに関するものである。
【００２１】
ここで、「呼吸計測プログラム」とは、呼吸についての計測を行うプログラムであり、例えば、呼吸計測装置を実現するものである。また、「呼吸計測装置」とは、呼吸についての計測を行う装置であり、具体的には、少なくとも、操作手段、演算手段、及び出力手段を備えるものであり、例えば、呼吸計測のための専用装置として構成された機器、又は、汎用の端末装置（例えば、スマートフォン、あるいは、パーソナルコンピュータ等）に操作手段、演算手段、及び出力手段の機能を実装することにより構成された機器等を含む概念である。
【００２２】
また、「操作手段」とは、対象者による吸気又は呼気が行われるタイミングに、対象者によって呼吸が行われたことを特定するべく計測者によって操作される手段であり、例えば、対象者による１回の吸気又は呼気のうちの一方の行為が行われている間中、計測者によって操作され続け、対象者による１回の吸気又は呼気のうちの一方の行為とは異なる他方の行為が行われている間中、計測者によって操作されないものであり、一例としては、タッチパッド、マウス、キーボード、操作ボタン、及び操作レバー等を含む概念である。なお、「吸気又は呼気が行われるタイミング」とは、吸気又は呼気が１回行われるとき、又は、吸気又は呼気が所定回数（例えば、２回以上の定められた回数）行われるとき等を含む概念である。「対象者」とは、呼吸についての計測を行う対象の者であり、例えば、健康診断を受診する受診者、及び医師の治療を受ける患者等を含む概念である。また、「計測者」とは、呼吸計測装置を用いて対象者の呼吸について計測を行う者であり、具体的には、対象者自身、又は、対象者とは異なる者であり、例えば、看護師、及び医師等を含む概念である。
【００２３】
また、「演算手段」とは、操作手段が操作された回数と、操作手段が操作される時間とに基づいて、単位時間当たりの呼吸回数を演算する手段である。なお、「操作手段が操作される時間」とは、操作手段が操作され得る時間であり、例えば、対象者によって呼吸が行われたことを特定するための操作手段の操作が有効である時間等を含む概念である。
【００２４】
また、「出力手段」とは、演算手段が演算した単位時間当たりの呼吸回数を特定する単位時間呼吸回数情報を出力する手段であり、例えば、表示情報として表示出力するもの、印刷情報として印字出力するもの、通信情報として送信出力するもの、及び音声情報として音声出力するもの等を含む概念である。
【００２５】
そして、以下に示す実施の形態では、「呼吸計測装置」が、汎用の端末装置（例えば、スマートフォン）に操作手段、演算手段、及び出力手段の機能を実装することにより構成された機器であり、「操作手段」が、対象者による１回の吸気が行われている間中、計測者によって操作され続け、対象者による１回の呼気が行われている間中、計測者によって操作されないものであって、一例としてのタッチパッド（具体的には、タッチパネルとして構成されているタッチパッド）であり、「対象者」が患者であり、「計測者」が医師であり、「出力手段」が表示情報として表示出力するものである場合について説明する。
【００２６】
（構成）
まず、本実施の形態に係る呼吸計測装置について説明する。図１は、本実施の形態に係る呼吸計測装置を示すブロック図である。
【００２７】
（構成−呼吸計測装置）
図１に示す呼吸計測装置１００は、例えば、操作部１１、表示部１２、記録部１３、及び制御部１４を備える。
【００２８】
（構成−呼吸計測装置−操作部）
操作部１１は、対象者による吸気が行われるタイミングに、対象者によって呼吸が行われたことを特定するべく計測者によって操作される操作手段であり、特に、対象者による１回の吸気が行われている間中、計測者によって操作され続け、対象者による１回の呼気が行われている間中、計測者によって操作されないものであり、具体的には、計測者の指等で接触されることにより、当該計測者から各種操作入力を受け付ける操作手段であり、例えば、タッチパッドである。図２は、計測開始待ち画面の表示例であり、図３は、計測中画面の表示例である。なお、図３の計測中画面の上側操作ボタン１１２、中側操作ボタン１１３、及び下側操作ボタン１１４（以下、「各操作ボタン」とも称する）については、実際には、図２に表示する画像上に透過的に重畳して表示されるが、説明の便宜上、図３においては、図２に表示する画像を破線にて示し、各操作ボタンを実線にて示している。操作部１１の具体的な種類や構成は任意であるが、例えば、透明又は半透明状に形成され、表示部１２のディスプレイ１２１の前面において当該ディスプレイ１２１の表示面と重畳するように設けられてタッチパネルとして構成されている。そして、操作部１１は、例えば、図２の計測開始ボタン１１１、図３の上側操作ボタン１１２、中側操作ボタン１１３、下側操作ボタン１１４、及び計測終了ボタン１１５を備える。
【００２９】
（構成−呼吸計測装置−操作部−計測開始ボタン）
図２の計測開始ボタン１１１は、呼吸の計測を開始する場合に操作されるものである。
【００３０】
（構成−呼吸計測装置−操作部−上側操作ボタン）
図３の上側操作ボタン１１２は、対象者による呼吸を特定するべく計測者によって操作される複数の操作領域の１つであって、対象者の呼吸の種類に対応付けれられているものである。ここで、「呼吸の種類」とは、所定の基準に基づく呼吸の分類であり、例えば、排気量に基づく呼吸の分類であり、本明細書においては、排気量が多いものから少ないものに向かって、深い呼吸、自然な呼吸、及び浅い呼吸の３種類であることとして、説明する。そして、上側操作ボタン１１２は、例えば、深い呼吸に対応付けられているものである。
【００３１】
（構成−呼吸計測装置−操作部−中側操作ボタン）
図３の中側操作ボタン１１３は、対象者による呼吸を特定するべく計測者によって操作される複数の操作領域の１つであって、対象者の呼吸の種類に対応付けれられているものであり、例えば、自然な呼吸に対応付けられているものである。
【００３２】
（構成−呼吸計測装置−操作部−下側操作ボタン）
図３の下側操作ボタン１１４は、対象者による呼吸を特定するべく計測者によって操作される複数の操作領域の１つであって、対象者の呼吸の種類に対応付けれられているものであり、例えば、浅い呼吸に対応付けられているものである。
【００３３】
（構成−呼吸計測装置−操作部−計測終了ボタン）
図３の計測終了ボタン１１５は、呼吸の計測を終了する場合に操作されるものである。
【００３４】
（構成−呼吸計測装置−表示部）
図１の表示部１２は、情報を表示する表示手段である。この表示部１２の具体的な種類や構成は任意であるが、例えば、図２のディスプレイ１２１を備える。ディスプレイ１２１は、透明又は半透明状に形成されたディスプレイであり、例えば、公知の液晶ディスプレイや有機ＥＬディスプレイの如きフラットパネルディスプレイ等を用いることができる。そして、ディスプレイ１２１は、例えば、上側表示領域１２１Ａ、及び下側表示領域１２１Ｂを備える。
【００３５】
（構成−呼吸計測装置−表示部−上側表示領域）
上側表示領域１２１Ａは、単位時間呼吸回数情報、及び経過時間情報を表示する領域である。「単位時間呼吸回数情報」とは、単位時間当たりの呼吸回数を特定する情報であり、例えば、１分間当たりの呼吸回数を特定する情報である。「経過時間情報」とは、計測を開始してからの経過時間を特定する情報であり、例えば、計測開始ボタン１１１を操作したときからの経過時間を特定する情報である。
【００３６】
（構成−呼吸計測装置−表示部−下側表示領域）
下側表示領域１２１Ｂは、呼吸関連グラフを表示する領域である。「呼吸関連グラフ」とは、呼吸に関連する事項を特定するグラフであり、例えば、呼吸タイミング情報、及び呼吸種類情報を特定する波形のグラフである。「呼吸タイミング情報」とは、対象者による呼気及び吸気のタイミングを特定する情報であり、「呼吸種類情報」とは、対象者による呼吸の種類を特定する情報である。なお、呼吸関連グラフの具体例については、後述する。
【００３７】
（構成−呼吸計測装置−記録部）
図１の記録部１３は、呼吸計測装置１００の動作に必要なプログラム及び各種のデータを記録する記録手段であり、例えば、公知の記録装置を用いて構成される。この公知の記録装置としては、例えば、外部記録装置としてのハードディスク、磁気ディスクの如き磁気的記録媒体、ＤＶＤやブルーレイディスクの如き光学的記録媒体、又はＦｌａｓｈ、ＲＯＭ、ＵＳＢメモリ、又は、ＳＤカードの如き電気的記録媒体、あるいは、その他の任意の記録媒体を用いることができる。
【００３８】
この記録部１３には、例えば、操作履歴情報が格納されている。「操作履歴情報」とは、操作部１１の操作履歴を特定する情報である。図４は、操作履歴情報を例示した図である。この図４に示すように、操作履歴情報は、例えば、項目「操作ボタン情報」、項目「操作時間帯情報」及び項目「非操作時間帯情報」と、各項目に対応する情報とを、相互に関連付けて構成されている。
【００３９】
項目「操作ボタン情報」に対応する情報は、図３の各操作ボタン（つまり、上側操作ボタン１１２、中側操作ボタン１１３、下側操作ボタン１１４）のうちの何れの操作ボタンが計測者によって操作されたかを特定する操作ボタン情報である（図４では、上側操作ボタン１１２が操作されたことを特定する「上側」、中側操作ボタン１１３が操作されたことを特定する「中側」、及び下側操作ボタン１１４が操作されたことを特定する「下側」）。
【００４０】
また、項目「操作時間帯情報」は、図３の各操作ボタンが操作され続けた時間帯である操作時間帯を特定する操作時間帯情報である（図４では、「００：０１：００−００：０３：５０」等）。なお、ここでは、図３の各操作ボタンに計測者の指を重畳させて接触させることが「各操作ボタンを操作すること」に対応し、また、各操作ボタンから計測者の指を離すことが「各操作ボタンを操作しないこと」に対応するものとして、以下説明する。つまり、各操作ボタンに指を重畳させて接触させ続けていることが「各操作ボタンが操作され続けていること」に対応し、また、各操作ボタンから指を離し続けることが「操作手段が操作されていないこと」に対応するものとして、以下説明する。そして、図４の「００：０１：００−００：０３：５０」は、図２の計測開始ボタン１１１をタップして操作したときを基準にし、操作時間帯の開始のタイミングである操作時間帯開始時刻としての「００分０１秒００」から、操作時間帯の終了のタイミングである操作時間帯終了時刻としての「００分０３秒５０」までが操作時間帯であることを示しているものとする。つまり、「−」の左側の「００：０１：００」は、操作時間帯開始時刻を示しており、図２の計測開始ボタン１１１をタップして操作したときから、「中側」に対応する中側操作ボタン１１３の操作が開始されたとき（つまり、中側操作ボタン１１３にユーザの指が接触したとき）までの経過時間が「００分０１秒００」であることを示している。また、「−」の右側の「００：０３：５０」は、操作時間帯終了時刻を示しており、図２の計測開始ボタン１１１をタップして操作したときから、「中側」に対応する中側操作ボタン１１３の操作が終了したとき（つまり、中側操作ボタン１１３からユーザの指が離れたとき）までの経過時間が「００分０３秒５０」であることを示している。
【００４１】
また、図４の項目「非操作時間帯情報」は、図３の各操作ボタンが操作されていない時間帯である非操作時間帯を特定する非操作時間帯情報である（図４では、「００：０３：５０−００：０６：１０」等）。なお、「００：０３：５０−００：０６：１０」は、図２の計測開始ボタン１１１をタップして操作したときを基準にして、非操作時間帯の開始のタイミングである非操作時間帯開始時刻としての「００分０３秒５０」から、非操作時間帯の終了のタイミングである非操作時間帯終了時刻としての「００分０６秒１０」までが非操作時間帯であることを示しているものとする。つまり、「−」の左側の「００：０３：５０」は、非操作時間帯開始時刻を示しており、図２の計測開始ボタン１１１をタップして操作したときから、「中側」に対応する中側操作ボタン１１３の操作が終了したとき（つまり、中側操作ボタン１１３からユーザの指が離れたとき）までの経過時間が「００分０３秒５０」であることを示している。また、「−」の右側の「００：０６：１０」は、非操作時間帯終了時刻を示しており、図２の計測開始ボタン１１１をタップして操作したときから、図３の各操作ボタンの操作が再び開始したとき（図４では、図面の上から２段目の「中側」に対応する中側操作ボタン１１３にユーザの指が接触したとき）までの経過時間が「００分０６秒１０」であることを示しているものとする。そして、このような呼吸特定情報については、後述する計測処理を実行することにより格納される。
【００４２】
（構成−呼吸計測装置−制御部）
図１の制御部１４は、呼吸計測装置１００を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る制御プログラムは、任意の記録媒体又はネットワークを介して呼吸計測装置１００にインストールされることで、制御部１４の各部を実質的に構成する。
【００４３】
制御部１４は、機能概念的に、演算部１４１、行為特定部１４２、種類特定部１４３、及び出力部１４４を備える。演算部１４１は、操作部１１が操作された回数と、操作部１１が操作される時間とに基づいて、単位時間当たりの呼吸回数を演算する演算手段である。行為特定部１４２は、操作部１１が操作され続けている時間帯を対象者によって吸気が行われているものと特定し、操作部１１が操作されていない時間帯を対象者によって呼気が行われているものと特定する行為特定手段である。種類特定部１４３は、操作部１１における上側操作ボタン１１２、中側操作ボタン１１３、下側操作ボタン１１４のうちの何れの操作ボタンが計測者によって操作されたかに基づいて、対象者の呼吸の種類を特定する種類特定手段である。出力部１４４は、演算部１４１が演算した単位時間当たりの呼吸回数を特定する単位時間呼吸回数情報を出力する出力手段であり、例えば、行為特定部１４２の特定結果に基づいて、対象者による呼気及び吸気のタイミングを特定する情報である呼吸タイミング情報も出力するものであり、種類特定部１４３の特定結果に基づいて、対象者による呼吸の種類を特定する情報である呼吸種類情報も出力するものである。なお、この制御部１４の各部により行われる処理については後述する。
【００４４】
（処理）
次に、このように構成される呼吸計測装置１００によって実行される計測処理について説明する。図５は、計測処理のフローチャートである（以下の各処理の説明ではステップを「Ｓ」と略記する）。「計測処理」とは、呼吸を計測する処理であり、具体的には、計測者からの操作入力を受け付けて操作履歴情報を格納し、格納結果に基づいて呼吸を計測
する処理である。この計測処理を実行するタイミングは任意であるが、例えば、呼吸計測装置１００の電源をオンした場合に起動されて繰り返し実行するものとして、計測処理が起動されたところから説明する。
【００４５】
まず、図５に示すように、ＳＡ１において制御部１４は、計測開始待ち画面を表示部１２のディスプレイ１２１に表示させる。ここで、「計測開始待ち画面」とは、計測が開始されるのを待っている場合に表示される画面である。ＳＡ１での具体的な手法は任意であるが、例えば、図２に示すように、上側表示領域１２１Ａ、下側表示領域１２１Ｂ、及び計測開始ボタン１１１をディスプレイ１２１に表示させることにより、計測開始待ち画面を表示させる。
【００４６】
図５に戻って、ＳＡ２において制御部１４は、計測が開始されたか否かを判定する。具体的な手法は任意であるが、例えば、図２の計測開始ボタン１１１に対する操作を監視し、計測開始ボタン１１１が操作されたか否かに基づいて判定する。そして、計測開始ボタン１１１が操作されていない場合、計測が開始されていないものと判定し（ＳＡ２のＮＯ）、計測が開始されたものと判定するまで、繰り返しＳＡ２を実行する。また、計測開始ボタン１１１が操作された場合、計測が開始されたものと判定し（ＳＡ２のＹＥＳ）、ＳＡ３に移行する。ここでは、例えば、計測者が自己の指を計測開始ボタン１１１に重畳させてタップした場合、計測が開始されたものと判定する。
【００４７】
図５に戻って、ＳＡ３において制御部１４は、計測中画面を表示部１２のディスプレイ１２１に表示させる。ここで、「計測中画面」とは、計測が行われている場合に表示される画面である。ＳＡ３での具体的な手法は任意であるが、例えば、図３に示すように、図２の計測開始待ち画面の計測開始ボタン１１１を図３の計測終了ボタン１１５に切り替えて表示させ、また、図２に表示する画像上に透過的に重畳して図３の各操作ボタンを表示させることにより、計測中画面を表示させる。この後、図５のＳＡ４及びＳＡ５に移行する。
【００４８】
次に、ＳＡ４において制御部１４は、情報格納処理を起動する。図６は、情報格納処理のフローチャートである。「情報格納処理」とは、計測者からの操作入力を受け付けて操作履歴情報を格納する処理であって、後述する演算処理に対して並列的に実行される処理である。
【００４９】
図６に示すように、ＳＢ１において制御部１４は、図３の各操作ボタンの操作が開始したか否かを判定する。具体的な手法は任意であるが、例えば、図３の各操作ボタンに対する操作を監視し、各操作ボタンに対する計測者の指の接触が開始したか否かに基づいて判定する。そして、各操作ボタンに対する計測者の指の接触が開始していない場合、各操作ボタンの操作が開始していないものと判定し（ＳＢ１のＮＯ）、各操作ボタンの操作が開始したものと判定するまで、繰り返しＳＢ１を実行する。また、各操作ボタンに対する計測者の指の接触が開始した場合、各操作ボタンの操作が開始したものと判定し（ＳＢ１のＹＥＳ）、ＳＢ２に移行する。ここでは、例えば、対象者による１回の吸気が開始したことを計測者が判断し、当該計測者が、自己の指を中側操作ボタン１１３に重畳させることにより接触を開始した場合、各操作ボタンの操作が開始したものと判定する。
【００５０】
図６に戻って、ＳＢ２において制御部１４は、図１の操作履歴情報を格納する。具体的な手法は任意であるが、例えば、不図示の計時手段（例えば、タイマー等）であって、図５のＳＡ２で図２の計測開始ボタン１１１がタップされた時刻からの経過時間を計時する計時手段を用いて、図５のＳＡ２で図２の計測開始ボタン１１１がタップされた時刻（以下、計測開始時刻）から、図６のＳＢ１にて操作ボタンの操作が開始された時刻（以下、操作ボタン操作開始時刻）までの経過時間を特定し、また、ＳＢ１にて操作された操作ボタンを特定した上で、図４の操作ボタン情報として、当該特定した操作ボタンを格納し、また、図４の操作時間帯情報の操作時間帯開始時刻として、前述の特定した「計測開始時刻」から「操作ボタン操作開始時刻」までの経過時間を格納する。ここでは、例えば、ＳＢ１にて中側操作ボタン１１３の操作が開始された場合において、計測開始時刻から操作ボタン操作開始時刻までの経過時間が「００分０１秒００」である場合、「００分０１秒００」を特定し、また、中側操作ボタン１１３を特定した上で、図４の最上段に示すように、操作ボタン情報として「中側」を格納し、また、操作時間帯情報の「−」の左側の情報として「００：０１：００」を格納する。
【００５１】
図６に戻って、ＳＢ３において制御部１４は、図３の各操作ボタンの操作が終了したか否かを判定する。具体的な手法は任意であるが、例えば、図３の各操作ボタンのうちのＳＢ１にて操作が開始され操作ボタンを監視し、監視している操作ボタンから計測者の指が離れたか否かに基づいて判定する。そして、操作ボタンから計測者の指が離れていない場合、操作ボタンの操作が終了していないものと判定し（ＳＢ３のＮＯ）、操作ボタンの操作が終了したものと判定するまで、繰り返しＳＢ３を実行する。また、操作ボタンから計測者の指が離れ場合、各操作ボタンの操作が終了したものと判定し（ＳＢ３のＹＥＳ）、ＳＢ４に移行する。ここでは、例えば、対象者による１回の吸気が終了したこと（つまり、対象者による１回の呼気が開始したこと）を計測者が判断し、当該計測者が、計測者が自己の指を中側操作ボタン１１３から離した場合、操作ボタンの操作が終了したものと判定する。
【００５２】
図６に戻って、ＳＢ４において制御部１４は、図１の操作履歴情報を格納する。具体的な手法は任意であるが、例えば、前述の計時手段を用いて、「計測開始時刻」から、ＳＢ３にて操作ボタンの操作が終了された時刻（以下、操作ボタン操作終了時刻）までの経過時間を特定した上で、ＳＢ２で格納した図４の操作時間帯情報の操作時間帯終了時刻として、前述の特定した「計測開始時刻」から「操作ボタン操作終了時刻」までの経過時間を格納し、また、ＳＢ２で格納した操作時間帯情報に対応する非操作時間帯情報の非操作時間帯開始時刻としても、当該経過時間を格納する。ここでは、例えば、計測開始時刻から操作ボタン操作終了時刻までの経過時間が「００分０３秒５０」である場合、「００分０３秒５０」を特定した上で、図４の最上段に示すように、操作時間帯情報の「−」の右側の情報、及び、非操作時間帯情報の「−」の左側の情報として「００：０３：５０」を格納する。
【００５３】
図６に戻って、ＳＢ５において制御部１４は、計測が終了されたか否かを判定する。具体的な手法は任意であるが、例えば、図３の計測終了ボタン１１５に対する操作を監視し、計測終了ボタン１１５が操作されたか否かに基づいて判定する。そして、計測終了ボタン１１５が操作された場合、計測が終了したものと判定し（ＳＢ５のＹＥＳ）、情報格納処理をリターンして図５のＳＡ６に移行する。また、計測終了ボタン１１５が操作されていない場合、計測が終了されていないものと判定し（ＳＢ５のＮＯ）、ＳＢ１に移行する。
【００５４】
そして、図６の再度実施するＳＢ１の「ＹＥＳ」の後のＳＢ２において制御部１４は、前述したようにして、例えば、不図示の計時手段を用いて、図４の上から２段目の操作ボタン情報、及び操作時間帯開始時刻（つまり、操作時間帯情報の「−」の左側の情報）を格納する。この場合、繰り返し前の「非操作時間帯終了時刻」と繰り返し直後の「操作時間帯開始時刻」とが互いに同一時刻になることに着目して、図４の最上段の非操作時間帯情報の「−」の右側の情報として、当該核格納した図４の上から２段目の操作時間帯情報の「−」の左側の情報と同じ情報を格納する。そして、前述したように、図６のＳＢ５にて、計測が終了したものと判定するまで（ＳＢ５のＹＥＳ）、繰り返し処理を実行する。
【００５５】
一方、図５のＳＡ５において制御部１４は、演算処理を起動する。図７は、演算処理のフローチャートである。「演算処理」とは、呼吸計測のための演算等を行う処理であって、情報格納処理に対して並列的に実行される処理である。
【００５６】
図７に示すように、ＳＣ１において行為特定部１４２は、吸気又は呼気の行為を特定する。具体的な手法は任意であるが、例えば、対象者によって吸気が行われている間中に、計測者が図１の操作部１１を操作し続け、対象者によって呼気が行われている間中に、計測者が操作部１１を操作しないことに着目して、図１の記録部１３の操作履歴情報に基づいて行為を特定する。詳細には、図４の操作履歴情報を参照して、操作時間帯情報が特定する操作時間帯に吸気が行われ、非操作時間帯情報が特定する非操作時間帯に呼気が行われたことを特定する。ここでは、例えば、「００分０１秒００」〜「００分０３秒５０」の間に吸気が行われ、「００分０３秒５０」〜「００分０６秒１０」の間に呼気が行われたこと等を特定する。なお、図４の操作履歴情報が全く格納されていない場合は、何らの処理も行わずに次のステップに移行する（他のステップも同様とする）。
【００５７】
図７に戻って、ＳＣ２において種類特定部１４３は、呼吸の種類を特定する。具体的な手法は任意であるが、例えば、対象者の呼吸の種類に応じて計測者が図３の各操作ボタンを操作することに着目して、図１の記録部１３の操作履歴情報に基づいて呼吸の種類を特定する。詳細には、図４の操作履歴情報を参照して、操作ボタン情報が「上側」である場合に、呼吸の種類として「深い呼吸」を特定し、操作ボタン情報が「中側」である場合に、呼吸の種類として「自然な呼吸」を特定し、操作ボタン情報が「下側」である場合に、呼吸の種類として「浅い呼吸」を特定する。ここでは、例えば、図４の最上段の情報については、操作ボタン情報が「中側」であるので、呼吸の種類として「自然な呼吸」を特定する。
【００５８】
図７に戻って、ＳＣ３において演算部１４１は、１分間当たりの呼吸回数を演算する。具体的な手法は任意であるが、例えば、図１の操作部１１が操作された回数と、操作部１１が操作される時間とに基づいて、１分間当たりの呼吸回数を演算する。詳細には、図４の操作履歴情報において格納されている操作ボタン情報の個数を、操作部１１が操作された回数として特定し、また、前述の計時手段を用いて特定される「計測開始時刻」から現在時刻までの経過時間を、操作部１１が操作される時間として特定した上で、所定の演算（例えば、（６０（秒）÷操作部１１が操作される時間（秒））×操作部１１が操作された回数））を行い、１分間当たりの呼吸回数を演算する。ここでは、例えば、「操作部１１が操作される時間」が１５秒であり、「操作部１１が操作された回数」が３回である場合、「（６０÷１５）×３＝１２」の演算を行って、１分間当たりの呼吸回数を１２回と演算する。
【００５９】
図７に戻って、ＳＣ４において出力部１４４は、前述の呼吸関連グラフを生成する。具体的な手法は任意であるが、例えば、ＳＣ１の処理に基づいて呼吸のタイミングを特定し、ＳＣ２の処理に基づいて呼吸の種類を特定した上で、これらの特定結果に基づいて、特定した呼吸タイミングが横軸方向に対応し、特定した呼吸の種類が縦軸方向に対応する波形の呼吸関連グラフを生成する。
【００６０】
詳細には、まず、ＳＣ１で特定した吸気の時間帯１つに対応する半周期及び呼気の時間帯１つに対応する半周期のペアにて１周期となる波形を１回分の呼吸に対応する波形として特定し、次に、呼吸の種類に対応した３つの振幅（例えば、「大振幅」、大振幅より小さな振幅である「中振幅」、中振幅より小さな振幅である「小振幅」）から、ＳＣ２で特定した１回分の呼吸の種類に対応するものを選択して、選択した振幅にて１回分の呼吸に対応する波形を生成する。なお、振幅の選択については、深い呼吸については大振幅を選択し、自然な振幅については中振幅を選択し、浅い呼吸については小振幅を選択するものとする。そして、これらの処理を、ＳＣ１及びＳＣ２で特定した全ての呼吸について行うことにより、呼吸関連グラフを生成する。
【００６１】
図８は、各種情報が表示された状態の計測中画面の表示例である。なお、図８の計測中画面には実際には、図３の各操作ボタンが透過的に表示されているが、図８では、説明の便宜上、各操作ボタンの表示については省略されている。ここでは、例えば、図４に示す最上段の情報が特定する１回分の呼吸については、ＳＣ１で特定した吸気の時間帯である「００分０１秒００」〜「００分０３秒５０」を半周期とし、また、呼気の時間帯である「００分０３秒５０」〜「００分０６秒１０」を半周期とする１周期の波形であって、振幅がＳＣ２で特定した「自然な呼吸」に対応する中振幅となる波形として、図８の下側表示領域１２１Ｂに表示されている呼吸関連グラフの左側の１周期分のグラフを生成する。そして、これらの処理を、図４に示す全ての情報について行うことにより呼吸関連グラフを生成する。
【００６２】
図７に戻って、ＳＣ５において出力部１４４は、各種情報を出力する。具体的な手法は任意であるが、例えば、ＳＣ３の処理に基づいて、演算した１分間当たりの呼吸回数を特定する単位時間呼吸回数情報、及び当該１分間当たりの呼吸回数の演算に用いた経過時間を特定する経過時間情報を特定し、特定した各情報を、上側表示領域１２１Ａに表示させて出力し、また、ＳＣ４で生成した呼吸関連グラフを、下側表示領域１２１Ｂに表示させて出力する。ここでは、例えば、図８に示すように、単位時間呼吸回数情報である「１２」と経過時間情報である「１５」を上側表示領域１２１Ａに表示させて出力し、また、ＳＣ４で生成した呼吸関連グラフを下側表示領域１２１Ｂに表示させて出力する。そして、各種情報を表示出力するこのＳＣ５が、後述するＳＣ６にてＹＥＳと判定されるまで、繰り返し実行されることになるので、計測中はリアルタイムに最新の情報が表示されることになる。また、このＳＣ５にて、呼吸関連グラフを表示出力することにより、この呼吸関連グラフを視認することにより、所定の呼吸の状態（例えば、公知の呼吸であって、チェーンストークス呼吸、ビオー呼吸、クスマウル呼吸、及び失調性呼吸等）を把握することが可能となる。
【００６３】
図７に戻って、ＳＣ６において制御部１４は、計測が終了されたか否かを判定する。具体的には、図６のＳＢ５と同様にして判定する。そして、計測が終了したものと判定した場合（ＳＣ６のＹＥＳ）、演算処理をリターンして図５のＳＡ６に移行する。なお、演算処理をリターンする場合において、図６の情報格納処理が処理中（例えば、ＳＢ１の繰り返しの実行中）であったとしても、各処理の同期をとる観点から、情報格納処理についてもリターンすることとする。また、図７のＳＣ６において、計測が終了されていないものと判定した場合（ＳＣ６のＮＯ）、ＳＣ１に移行する。
【００６４】
この後、図５のＳＡ５において制御部１４は、計測待ち画面を表示部１２のディスプレイ１２１に表示させる。図９は、演算処理を繰り返し行った後の計測開始待ち画面の表示例である。ここでは、例えば、図７の演算処理を繰り返し行った後の図５のＳＡ５では、図９の計測開始待ち画面を表示させる。これにて、計測処理を終了する。
【００６５】
（呼吸の計測について）
以上のように、計測者が対象者の呼吸を観察し、対象者の吸気のタイミングにて当該呼吸の種類に応じて図３の各操作ボタンを操作することにより、呼吸計測装置１００が計測処理を行って、例えば図８に示すように呼吸の各種情報を表示して出力するので、単位時間当たりの呼吸回数等をリアルタイムに正確且つ容易に把握することが可能となる。
【００６６】
（実施の形態の効果）
このように本実施の形態によれば、操作部１１が操作された回数と、操作部１１が操作される時間とに基づいて、単位時間当たりの呼吸回数を演算することにより、例えば、対象者の呼吸の回数を計測者が記憶して管理したり、単位時間当たりの呼吸回数への演算を計測者が行ったりすることが不要となるので、計測者による記憶又は演算に関するヒューマンエラーによる誤計測を防止することができ、単位時間当たりの呼吸回数を簡易且つ正確に計測することが可能な呼吸計測装置１００を提供することができる。
【００６７】
また、操作部１１が操作され続けている時間帯を吸気又は呼気のうちの一方の行為（ここでは、吸気）が行われているものと特定し、操作部１１が操作されていない時間帯を吸気又は呼気のうちの他方の行為（ここでは、呼気）が行われているものと特定することにより、例えば、計測者による直観的で単純な操作に基づいて対象者の呼気及び吸気のタイミングを特定することができるので、あらゆる計測者が呼気及び吸気のタイミングを容易に計測することが可能な使い勝手のよい呼吸計測装置１００を提供することができる。また、例えば、単位時間当たりの呼吸回数に加えて、呼気及び吸気のタイミングについても出力することができるので、対象者の呼吸に関して有用な情報を提供することができる。
【００６８】
また、操作部１１における上側操作ボタン１１２、中側操作ボタン１１３、下側操作ボタン１１４のうちの何れの操作ボタンが計測者によって操作されたかに基づいて、対象者の呼吸の種類を特定することにより、例えば、計測者による直観的で単純な操作に基づいて対象者の呼吸の種類を特定することができるので、あらゆる計測者が呼吸の種類を容易に計測することが可能な使い勝手のよい呼吸計測装置１００を提供することができ、また、計測者が自己の手元を見ないで操作することができるので、対象者の呼吸の状態を集中的に視認することができる。また、例えば、単位時間当たりの呼吸回数に加えて、呼吸の種類についても出力することができるので、対象者の呼吸に関して有用な情報を提供することができる。
【００６９】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７０】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００７１】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００７２】
（計測処理について）
また、上記実施の形態では、図６の情報格納処理と図７の演算処理とが互いに並列に動作する場合について説明したが、各ステップを任意に組み替えてもよい。具体的には、情報格納処理と演算処理とを互いに統合してもよい。この場合、例えば、図７のＳＣ１〜ＳＣ５を、図６のＳＢ４とＳＢ５の間に設けて、各処理を直列的に実行してもよい。
【００７３】
（操作部と行為特定部について）
また、上記実施の形態では、対象者による１回の吸気が行われている間中、計測者によって操作部１１が操作され続け、対象者による１回の呼気が行われている間中、計測者によって操作部１１が操作されず、行為特定部１４２については、操作部１１が操作され続けている時間帯を対象者によって吸気が行われているものと特定し、操作部１１が操作されていない時間帯を対象者によって呼気が行われているものと特定する場合について説明したが、限らない。例えば、対象者による１回の呼気が行われている間中、計測者によって操作部１１が操作され続け、対象者による１回の吸気が行われている間中、計測者によって操作部１１が操作されず、行為特定部１４２については、操作部１１が操作され続けている時間帯を対象者によって呼気が行われているものと特定し、操作部１１が操作されていない時間帯を対象者によって吸気が行われているものと特定するように構成してもよい。
【００７４】
（各部の省略について）
また、上記実施の形態において、図１の行為特定部１４２又は種類特定部１４３のうちの一方のみ、あるいは、両方を省略して、単位時間呼吸回数情報、呼吸タイミング情報、又は呼吸種類情報のうちの、単位時間呼吸回数情報のみを出力するように構成したり、単位時間呼吸回数情報と呼吸タイミング情報のみを出力するように構成したり、単位時間呼吸回数情報と呼吸種類情報のみを出力するように構成したりしてもよい。特に、種類特定部１４３を省略する場合、図３の各操作ボタンを統合して１つの操作ボタンを設けて、計測者がこの１つの操作ボタンを操作するように構成してもよい。
【００７５】
（情報の出力態様について）
また、上記実施の形態の単位時間呼吸回数情報を、画像情報（例えば、複数の発光可能画像を設けて単位時間当たりの呼吸回数に応じて発光可能画像の発光数を変更するレベルメータ画像等）等にて出力するように構成してもよいし、また、呼吸タイミング情報及び呼吸種類情報を、テキスト情報として出力するように構成してもよい。
【００７６】
（状態情報について）
また、上記実施の形態の呼吸計測装置１００を、状態情報を出力するように構成してもよい。ここで、「状態情報」とは、対象者の状態を特定する情報であり、具体的には、対象者の健康状態に関する情報であり、例えば、トリアージ情報、及び呼吸状態情報等を含む概念である。「トリアージ情報」とは、病院に来院した患者の健康状態に関する区分を特定情報であるであり、例えば、即座の診察を要する蘇生、１０分以内の診察を要する緊急、あるいは、３０分以内の診察を要する準緊急等を含む概念である。「呼吸状態情報」とは、対象者の呼吸の状態を特定する情報であり、例えば、呼吸が浅くなった状態である低呼吸、呼吸タイミング及び呼吸の深さが共に増加した状態である多呼吸、及び呼吸のタイミング及び呼吸の深さが共に減った状態である浅呼吸等を含む概念である。そして、例えば、以下の第１例又は第２例のようにして状態情報を出力するように構成してもよい。
【００７７】
第１例は、少なくとも、図１の演算部１４１が演算した１分間当たりの呼吸回数に基づいて、対象者の状態を特定し、状態情報としてトリアージ情報を出力するように構成する例である。この例では具体的には、記録部１３に１分間当たりの呼吸回数（例えば、５回未満、５回以上１０回未満、１０回以上１８回未満、１９回以上等の範囲）とトリアージ情報の状態（例えば、蘇生、緊急、準緊急等）とを互いに関連付けた情報である状態関連情報を記録し、制御部１４が、演算部１４１が演算した１分間当たりの呼吸回数と、記録部１３が格納している状態関連情報とに基づいて、演算部１４１が演算した単位時間当たりの呼吸回数に対応するトリアージ情報の状態を特定するように構成した上で、出力部１４４が、制御部１４の特定結果（例えば、準緊急の状態等）に基づいて、対象者の状態を特定する情報であるトリアージ情報（例えば、準緊急等）を出力する。なお、この第１例の記録部１３が、「状態関連情報格納手段」に対応し、制御部１４が、「状態特定手段」に対応する。このように構成した場合、単位時間当たりの呼吸回数と状態関連情報とに基づいて、対象者の状態を特定することにより、例えば、単位時間当たりの呼吸回数に加えて、対象者の状態についても出力することができるので、計測結果のみならず当該計測結果に対応する対象者の状態についても提供することができ、対象者の呼吸に関して有用な情報を提供することができる。
【００７８】
第２例は、少なくとも、行為特定部１４２が特定したタイミング及び種類特定部１４３が特定した呼吸の種類に基づいて、対象者の状態を特定し、状態情報として呼吸状態情報を出力するように構成する例である。この例では具体的には、記録部１３に呼吸関連グラフ（例えば、数種類の呼吸関連グラフ）と呼吸状態情報の状態（例えば、低呼吸、多呼吸、浅呼吸、あるいは、特定の疾患（例えば、肺気腫などの慢性閉鎖性肺疾患、気管支拡張症、肺結核後遺症、じん肺、慢性過敏性肺炎）等）とを互いに関連付けた情報である状態関連情報を記録し、制御部１４が、行為特定部１４２が特定したタイミング及び種類特定部１４３が特定した呼吸の種類に対応する呼吸関連グラフを、記録部１３の状態関連情報において特定して、当該呼吸関連グラフに対応付けられている呼吸状態情報の状態を特定し、出力部１４４が、制御部１４の特定結果（例えば、多呼吸等）に基づいて、対象者の状態を特定する情報である呼吸状態情報（例えば、多呼吸等）を出力する。このように構成した場合、呼吸のタイミング及び種類と態関連情報とに基づいて、対象者の状態を特定することにより、例えば、呼吸のタイミング及び種類に加えて、対象者の状態についても出力することができるので、特定した呼吸のタイミング及び種類のみならず、当該呼吸のタイミング及び種類に対応する対象者の状態についても提供することができ、対象者の呼吸に関して有用な情報を提供することができる。
【００７９】
（適用について）
また、上記実施の形態の呼吸計測装置１００の特徴、あるいは、変形例に記載の特徴を、医療システムの一部の機能として当該医療システムに組み込んでもよい。ここで、「医療システム」とは、人間に対する医療に関する装置であり、具体的には、医療従事者等によって用いられる装置であり、例えば、患者を区分けするためのトリアージを支援するトリアージ支援システム、あるいは、患者のカルテ情報を管理する電子カルテシステム等を含む概念である。特に、トリアージ支援システムに組み込む場合について具体的には、トリアージ支援システムに入力するべきバイタル情報の一つである呼吸数について、呼吸計測装置１００の特徴を用いて計測し、計測結果を当該呼吸数としてトリアージ支援システムに入力するように構成してもよい。
【００８０】
（呼吸関連グラフについて）
また、上記実施の形態の図８の呼吸関連グラフについては、利便性を考慮して、以下のように構成してもよい。例えば、図７の演算処理中、あるいは、当該演算処理の後に、グラフの任意の部分を確認できるように、図８の呼吸関連グラフをスクロールして任意の波を表示するように構成したり、当該呼吸関連グラフの波を拡大して表示するように構成したり、あるいは、縮小して表示するように構成したりしてもよい。特に、拡大及び縮小については、横軸基準に行えるように構成してもよいし、縦軸基準に行えるように構成してもよいし、あるいは、任意の点を基準に（例えば、いわゆるピンチイン、又は、ピンチアウト操作により）行えるように構成してもよい。
【００８１】
（処理の終了について）
また、上記実施の形態の図５の計測処理については、例えば、救急にて対象者の体調が悪化した場合に操作を途中でやめることを考慮して、任意に設定可能な所定時間だけ放置されて入力がない状態が継続した場合に、自動的に処理を終了するように構成してもよい。
【００８２】
（パターン認識について）
また、上記実施の形態において、図７のＳＣ４及びＳＣ５の間において、パターン認識処理を行って、前述の所定の呼吸の状態（例えば、公知の呼吸であって、チェーンストークス呼吸、ビオー呼吸、クスマウル呼吸、及び失調性呼吸等）を、当該パターン認識処理にて把握して出力するように構成してもよい。なお、パターン認識処理については、公知の処理を適用してもよい。
【００８３】
（特徴について）
また、上記実施の形態の特徴及び変形例の特徴を任意に組合わせてもよい。特に、変形例の「（状態情報について）」の「第２例」において、「呼吸状態情報の状態」として「チェーンストークス呼吸、ビオー呼吸、クスマウル呼吸、及び失調性呼吸等」を用いてもよい。
【００８４】
（付記）
付記１の呼吸計測プログラムは、コンピュータを、対象者による吸気又は呼気が行われるタイミングに、前記対象者によって呼吸が行われたことを特定するべく計測者によって操作される操作手段が操作された回数と、前記操作手段が操作される時間とに基づいて、単位時間当たりの呼吸回数を演算する演算手段と、前記演算手段が演算した前記単位時間当たりの呼吸回数を特定する単位時間呼吸回数情報を出力する出力手段と、として機能させる。
【００８５】
付記２の呼吸計測プログラムは、付記１に記載の呼吸計測プログラムにおいて、前記操作手段は、前記対象者による１回の吸気又は呼気のうちの一方の行為が行われている間中、前記計測者によって操作され続け、前記対象者による１回の吸気又は呼気のうちの前記一方の行為とは異なる他方の行為が行われている間中、前記計測者によって操作されず、前記コンピュータを、前記操作手段が操作され続けている時間帯を前記対象者によって前記一方の行為が行われているものと特定し、前記操作手段が操作されていない時間帯を前記対象者によって前記他方の行為が行われているものと特定する行為特定手段、として機能させ、前記出力手段は、前記行為特定手段の特定結果に基づいて、前記対象者による呼気及び吸気のタイミングを特定する情報である呼吸タイミング情報を出力する。
【００８６】
付記３の呼吸計測プログラムは、付記１又は２に記載の呼吸計測プログラムにおいて、前記操作手段は、前記対象者による呼吸を特定するべく前記計測者によって操作される複数の操作領域であって、前記対象者の呼吸の種類に対応付けれられている前記複数の操作領域を備えており、前記コンピュータを、前記操作手段における前記複数の操作領域のうちの何れの操作領域が前記計測者によって操作されたかに基づいて、前記対象者の呼吸の種類を特定する種類特定手段、として機能させ、前記出力手段は、前記種類特定手段の特定結果に基づいて、前記対象者による呼吸の種類を特定する情報である呼吸種類情報を出力する。
【００８７】
付記４の呼吸計測プログラムは、付記１から３の何れか一項に記載の呼吸計測プログラムにおいて、前記演算手段が演算した前記単位時間当たりの呼吸回数と、前記状態関連情報格納手段が格納している前記状態関連情報とに基づいて、前記演算手段が演算した前記単位時間当たりの呼吸回数に対応する前記対象者の状態を特定する状態特定手段と、を備え、前記出力手段は、前記状態特定手段の特定結果に基づいて、前記対象者の状態を特定する情報である状態情報を出力する。
【００８８】
付記５の呼吸計測装置は、対象者による吸気又は呼気が行われるタイミングに、前記対象者によって呼吸が行われたことを特定するべく計測者によって操作される操作手段と、前記操作手段が操作された回数と、前記操作手段が操作される時間とに基づいて、単位時間当たりの呼吸回数を演算する演算手段と、前記演算手段が演算した前記単位時間当たりの呼吸回数を特定する単位時間呼吸回数情報を出力する出力手段と、を備える。
【００８９】
（付記の効果）
付記１に記載の呼吸計測プログラムによれば、操作手段が操作された回数と、操作手段が操作される時間とに基づいて、単位時間当たりの呼吸回数を演算することにより、例えば、対象者の呼吸の回数を計測者が記憶して管理したり、単位時間当たりの呼吸回数への演算を計測者が行ったりすることが不要となるので、計測者による記憶又は演算に関するヒューマンエラーによる誤計測を防止することができ、単位時間当たりの呼吸回数を簡易且つ正確に計測することが可能な呼吸計測プログラムを提供することができる。
【００９０】
付記２に記載の呼吸計測プログラムによれば、操作手段が操作され続けている時間帯を吸気又は呼気のうちの一方の行為が行われているものと特定し、操作手段が操作されていない時間帯を吸気又は呼気のうちの他方の行為が行われているものと特定することにより、例えば、計測者による直観的で単純な操作に基づいて対象者の呼気及び吸気のタイミングを特定することができるので、あらゆる計測者が呼気及び吸気のタイミングを容易に計測することが可能な使い勝手のよい呼吸計測プログラムを提供することができる。また、例えば、単位時間当たりの呼吸回数に加えて、呼気及び吸気のタイミングについても出力することができるので、対象者の呼吸に関して有用な情報を提供することができる。
【００９１】
付記３に記載の呼吸計測プログラムによれば、操作手段における複数の操作領域のうちの何れの操作領域が計測者によって操作されたかに基づいて、対象者の呼吸の種類を特定することにより、例えば、計測者による直観的で単純な操作に基づいて対象者の呼吸の種類を特定することができるので、あらゆる計測者が呼吸の種類を容易に計測することが可能な使い勝手のよい呼吸計測プログラムを提供することができ、また、計測者が自己の手元を見ないで操作することができるので、対象者の呼吸の状態を集中的に視認することができる。また、例えば、単位時間当たりの呼吸回数に加えて、呼吸の種類についても出力することができるので、対象者の呼吸に関して有用な情報を提供することができる。
【００９２】
付記４に記載の呼吸計測プログラムによれば、単位時間当たりの呼吸回数と状態関連情報とに基づいて、対象者の状態を特定することにより、例えば、単位時間当たりの呼吸回数に加えて、対象者の状態についても出力することができるので、計測結果のみならず当該計測結果に対応する対象者の状態についても提供することができ、対象者の呼吸に関して有用な情報を提供することができる。
【００９３】
付記５に記載の呼吸計測装置によれば、操作手段が操作された回数と、操作手段が操作される時間とに基づいて、単位時間当たりの呼吸回数を演算することにより、例えば、対象者の呼吸の回数を計測者が記憶して管理したり、単位時間当たりの呼吸回数への演算を計測者が行ったりすることが不要となるので、計測者による記憶又は演算に関するヒューマンエラーによる誤計測を防止することができ、単位時間当たりの呼吸回数を正確に計測することが可能な呼吸計測装置を提供することができる。
【符号の説明】
【００９４】
１１  操作部
１２  表示部
１３  記録部
１４  制御部
１００  呼吸計測装置
１１１  計測開始ボタン
１１２  上側操作ボタン
１１３  中側操作ボタン
１１４  下側操作ボタン
１１５  計測終了ボタン
１２１  ディスプレイ
１２１Ａ  上側表示領域
１２１Ｂ  下側表示領域
１４１  演算部
１４２  行為特定部
１４３  種類特定部
１４４  出力部
【図１】
2018075278.tif 000003
【図２】
2018075278.tif 000004
【図３】
2018075278.tif 000005
【図４】
2018075278.tif 000006
【図５】
2018075278.tif 000007
【図６】
2018075278.tif 000008
【図７】
2018075278.tif 000009
【図８】
2018075278.tif 000010
【図９】
2018075278.tif 000011